(57)【要約】      （修正有）【課題】需要者への商品購買に関する訴求力のより強い、自販機に装着される宣伝広告表示板を提供する。【解決手段】自販機の外表面部に装着される合成樹脂製の宣伝広告表示板１０であって、一枚の板状合成樹脂材からなる宣伝広告表示板本体１５により構成され、表示部１１は宣伝広告表示板本体と一体に形成され、表示部の輪郭を形成する切り込み線部１２及び折曲線部１３により画成され、切り込み線部及び折曲線部に沿って折曲形成することにより表示部が宣伝広告表示板本体の一般面から立ち上がって立体的に形成される。【選択図】図２
0003204306.tif 000002
【実用新案登録請求の範囲】
【請求項１】
自販機の外表面部に装着される合成樹脂製の宣伝広告表示板であって、一枚の板状合成樹脂材からなる宣伝広告表示板本体により構成され、表示部は前記宣伝広告表示板本体と一体に形成され、表示部の輪郭を形成する切り込み線部及び折曲線部により画成され、前記切り込み線部及び折曲線部に沿って折曲形成することにより前記表示部が前記宣伝広告表示板本体の一般面から立ち上がって立体的に形成されることを特徴とする宣伝広告表示板。
【請求項２】
前記表示部の上端部及び下端部は折曲線部により形成されると共に、両側部は切り込み線部により形成されることを特徴とする請求項１記載の宣伝広告表示板。
【請求項３】
前記宣伝広告表示板本体は横長長方形状に形成され、前記表示部は前記宣伝広告表示板本体の長さ方向に沿って形成されていることを特徴とする請求項２記載の宣伝広告表示板。
【請求項４】
前記表示部の下端部を形成する折曲線部の上方及び上端部を形成する折曲線部の上方には、前記折曲線部を基準に折曲した場合には、前記表示部を宣伝広告表示板本体の一般面から立ち上がって配置させ得る立体折曲線部が設けられていることを特徴とする請求項３記載の宣伝広告表示板。
【請求項５】
前記表示部は、複数の表示単位部からなり、前記複数の表示単位部の上端部及び下端部を画成する前記折曲線部は同一線上に形成されることを特徴とする請求項４記載の宣伝広告表示板。
【請求項６】
前記表示部は前記宣伝広告表示板本体の幅方向中央部に配置されていることを特徴とする請求項１乃至５のいずれか一項に記載の宣伝広告表示板。
【請求項７】
前記複数の表示単位部は文字により構成されていることを特徴とする請求項５記載の宣伝広告表示板。
【考案の詳細な説明】
【技術分野】
【０００１】
本考案は、宣伝広告表示板に係り、特に、自販機等に装着される宣伝広告表示板に関する。
【背景技術】
【０００２】
従来より、自販機の外表面部に後付される宣伝広告表示板が使用されている場合がある。このような宣伝広告表示板は、例えば、薄厚の板材であって適宜の宣伝広告が印刷表示され、自販機の上端部に固定して宣伝広告を行うものである（特許文献１）。
【０００３】
しかしながら、このような従来の宣伝広告法表示板にあっては、単に、合成樹脂用の平板な板材により構成され、この板材上に商品名や付随する宣伝広告文等が単に表示されているにすぎないことから、宣伝広告の方法に消費者への訴求力が低い、という不具合が存していた。
【考案の開示】
【考案が解決しようとする課題】
【０００４】
従来より、需要者への商品購買に関する訴求力のより強い、自販機に装着される宣伝広告表示板が要望されていた。従って、本考案にあっては、需要者への商品購買に関する訴求力のより強い、自販機に装着される宣伝広告表示板を提供することを課題とする。
【特許文献１】実用新案登録第３１２６６４４号公報
【課題を解決するための手段】
【０００５】
請求項１記載の考案にあっては、自販機の外表面部に装着される合成樹脂製の宣伝広告表示板であって、一枚の板状合成樹脂材からなる宣伝広告表示板本体により構成され、表示部は前記宣伝広告表示板本体と一体に形成され、表示部の輪郭を形成する切り込み線部及び折曲線部により画成され、前記切り込み線部及び折曲線部に沿って折曲形成することにより前記表示部が前記宣伝広告表示板本体の一般面から立ち上がって立体的に形成されることを特徴とする。
【０００６】
従って、請求項１記載の考案にあっては、切り込み線部及び折曲線部により画成される表示部を合成樹脂製の宣伝広告表示板本体の一般面部から立ち上げて立体的に形成することができる。
【０００７】
請求項２記載の考案にあっては、前記表示部の上端部及び下端部は折曲線部により形成されると共に、両側部は切り込み線部により形成されることを特徴とする。
【０００８】
従って、請求項２記載の考案にあっては、表示部の両端部は切り込み線部により形成されていることから、表示部の両側部は宣伝広告表示板本体の一般面部から切り離されて、宣伝広告表示板本体の一般面部上に立ち上がって配置される。
【０００９】
請求項３記載の考案にあっては、前記宣伝広告表示板本体は横長長方形状に形成され、前記表示部は前記宣伝広告表示板本体の長さ方向に沿って形成されていることを特徴とする。
【００１０】
請求項４記載の考案にあっては、前記表示部の下端部を形成する折曲線部の上方及び上端部を形成する折曲線部の上方には、前記折曲線部を基準に折曲した場合には、前記宣伝広告表示板本体の一般面部から立ち上がって配置させ得る立体折曲線部が設けられていることを特徴とする。
【００１１】
従って、請求項４記載の考案にあっては、立体折曲線部が形成されていることから、立体折曲線部を折曲形成して場合には、表示部の下端部及び上端部を宣伝広告表示板本体の一般面部から立ち上がって配置させることができる。
【００１２】
請求項５記載の考案にあっては、前記表示部は、複数の表示単位部からなり、前記複数の表示単位部の上端部及び下端部を画成する前記折曲線部は同一線上に形成されることを特徴とする。
【００１３】
従って、請求項５記載の考案にあっては、表示部を構成する複数の表示単位部が同一線上に配列される。
【００１４】
請求項６記載の考案にあっては、前記表示部は前記宣伝広告表示板本体の幅方向中央部に配置されていることを特徴とする。
【００１５】
請求項７記載の考案にあっては、前記複数の表示単位部は文字により構成されていることを特徴とする。
【考案の効果】
【００１６】
請求項１〜７記載の考案にあっては、切り込み線部及び折曲線部により画成される表示部を合成樹脂製の宣伝広告表示板一般面部から立ち上げて表示部を立体的に形成することができることから、自販機の外表面部に装着された場合には、自販機の商品の需要者に対して訴求力のある宣伝広告を行うことができる宣伝広告表示板を提供することができる。
【００１７】
請求項２記載の考案にあっては、請求項１記載の効果に加えて、前記表示部の両側部は切り込み線部により形成されていることから、前記表示部の上端部及び下端部を折曲線部により折曲させて場合には、形成表示部の両側部は宣伝広告表示板一般面から立ち上がって配置されることから、両側部において明確な段差のある立体的な表示部を形成することが可能となる。
【００１８】
請求項４記載の考案にあっては、前記表示部の下端部を形成する折曲線部の上方及び上端部を形成する折曲線部の上方には、前記折曲線部を基準に折曲した場合には、前記宣伝広告表示板本体の一般面部から立ち上がって配置させ得る立体折曲線部が設けられていることから、上端部、下端部及び両側部において一般面から立ち上がった表示部が形成される宣伝広告表示板を提供することができる。
【００１９】
請求項５記載の考案にあっては、前記表示部は、複数の表示単位部からなり、前記複数の表示単位部の上端部及び下端部を画成する前記折曲線部は同一線上に形成され、表示部を構成する複数の表示単位部が同一線上に配列されることから、表示部の視認性の良好な宣伝広告表示板を提供することができる。
【００２０】
請求項６記載の考案にあっては、前記表示部は前記宣伝広告表示板本体の幅方向中央部に配置されていることから、請求項５記載の考案の効果に加えて、自販機に装着しやすく、かつ視認性に優れた宣伝広告表示板を提供することができる。
【００２１】
請求項７記載の考案にあっては、前記複数の表示単位部は文字により構成されていることから文字により視認されやすい宣伝広告表示板を提供することができる。
【図面の簡単な説明】
【００２２】
【図１】本考案に係る宣伝広告表示板の一実施の形態を示し、宣伝広告表示板を自販機に装着した状態を示す斜視図である。
【図２】本考案に係る宣伝広告表示板の一実施の形態を一般的に示す斜視図である。
【考案を実施するための最良の形態】
【００２３】
以下、本考案に係る宣伝広告表示板の一実施の形態を添付図面に基づき詳細に説明する。
図１及び図２に示すように、本実施の形態に係る宣伝広告表示板１０は、自販機２０の外表面部である正面パネル２１の商品表示部２２の上端部に装着される合成樹脂製の宣伝広告表示板である。
図２に示すように、宣伝広告表示板１０は、一枚の板状合成樹脂材からなる宣伝広告表示板本体１５により構成され、表示部１１は宣伝広告表示板本体１５と一体に形成され、表示部１１の輪郭を形成する切り込み線部１２及び折曲線部１３により画成され、前記切り込み線部１２及び折曲線部１３に沿って折曲形成することにより前記表示部１１が前記宣伝広告表示板本体１５の一般面１４から立ち上がって立体的に形成されるように構成されている。
【００２４】
本実施の形態において、宣伝広告表示板本体１５は横長長方形状に形成され、前記表示部１１は宣伝広告表示板本体１５の長さ方向に沿って形成されていると共に、表示部１１は宣伝広告表示板本体１５の幅方向中央部に配置されている。
【００２５】
本実施の形態にあっては、表示部１１は、文字として構成された複数の表示単位部１１ａ・・・１１ｈからなり、複数の表示単位部１１ａ・・・１１ｈの上端部及び下端部を画成する折曲線部１３ａ、１３ｂは、宣伝広告表示板本体１５の長さ方向における同一線上に形成されている。また、前記表示単位部１１ａ・・・１１ｈの上端部及び下端部は折曲線部１３ａ、１３ｂにより形成されると共に、両側部は切り込み線部１２ａ、１２ｂにより形成されている。
【００２６】
前記表示部１１の下端部を形成する折曲線部１３ｂの上方及び上端部を形成する折曲線部１３ａの上方の所定寸法位置には、夫々、前記折曲線部１３ａ、１３ｂを基準に折曲した場合には、前記表示部１１を宣伝広告表示板本体１５の一般面１４から立ち上がって配置させ得る立体折曲線部１６、１７が、夫々、設けられている。
【００２７】
本実施の形態においては、表示単位部１１ａは英文字「Ｊ」、表示単位部１１ｂは英文字「Ｏ」、表示単位部１１ｃは同「Ｙ」、表示単位部１１ｄは「Ｏ」、表示単位部１１ｅは「Ｃ」、表示単位部１１ｆは「Ａ」、表示単位部１１ｇは「Ｆ」、表示単位部１１ｈは「Ｅ」を表しており、全体として「ＪＯＹＯＣＡＦＥ」という表示部を形成し、「ＪＯＹＯＣＡＦＥ」を需要者に対して立体的に宣伝広告できるように構成されている。
【００２８】
以下、本実施の形態に係る宣伝広告表示板１０の作用について説明する。
従って、本実施の形態に係る宣伝広告表示板１０を作成する場合には、先ず、各表示単位部１１ａ・・・１１ｈの上端部側の折曲線部１３ａ及び下端部側の折曲線部１３ｂを基準として、各表示単位部１１ａ・・・１１ｈを、夫々、順次、両側部を画成する切り込み線部１２、１２により各表示単位部１１ａ・・・１１ｈを宣伝広告表示板本体１５から切り離す。
【００２９】
その後、立体折曲線部１７を宣伝広告表示板本体１５の裏面方向へ折り曲げると共に、立体折曲線部１６を宣伝広告表示板本体１５の裏面方向へ折り曲げることにより、各表示単位部１１ａを宣伝広告表示板本体１５の一般面１４から上方へ立ち上げて表示部１１を立体的に形成する。これにより本実施の形態に係る宣伝広告表示板１０が作成される。
【００３０】
従って、図２に示すように、表示部１１は一般面１４から立ち上がって形成されていることから、「ＪＯＹＯＣＡＦＥ」という文字が宣伝広告表示板本体１５の一般面１４上に浮き上がって立体的に配置される。この場合、表示部１１の下端部には立体折曲線部１７を折り曲げたことにより段部１８が形成され、幅方向下縁部との間に自販機２０への装着部１９が形成される。
【００３１】
このように形成された宣伝広告表示板１０を、装着部１９を介して自販機２０の正面パネル２１の上端部に固定することにより自販機２０により販売される商品の宣伝広告を行うことが可能となる。
【００３２】
従って、本実施の形態に係る宣伝広告表示板２０が自販機２０に装着されて使用された場合には、表示部１１が立体的に表示されていることから、従来の宣伝広告表示板とは異なり、自販機２０で販売されている商品の需要者に対し、訴求力のある宣伝広告を行うことが可能となる。
【００３３】
本実施の形態にあっては、  前記表示部１１の下端部を形成する折曲線部１３ｂの上方及び上端部を形成する折曲線部１３ａの上方には、夫々、前記折曲線部１３ａ、１３ｂを基準に折曲した場合には、前記表示部１１を宣伝広告表示板本体１５の一般面１４から立ち上がって配置させ得る立体折曲線部１６、１７が設けられている場合を例に説明したが、本実施の形態に限定されず、表示部を立体的に形成できるように構成されていればよい。また、宣伝広告表示板１０の全体形状に関しても本実施の形態に限定されない。
【産業上の利用可能性】
【００３４】
本考案は広く宣伝広告表示板に適用することができるため、産業上の利用可能性を有している。
【符号の説明】
【００３５】
１０  宣伝広告表示板
１１  表示部
１１ａ〜１１ｈ  表示単位部
１２  切り込み部
１３  折曲線部
１３ａ  折曲線部（上端部）
１３ｂ  折曲線部（下端部）
１４  一般面
１５  宣伝広告表示板本体
１６  立体折曲線部
１７  立体折曲線部
１８  段部
１９  装着部
２０  自販機
２１  正面パネル
２２  商品表示部
【図１】
0003204306.tif 000003
【図２】
0003204306.tif 000004